(57)【特許請求の範囲】
【請求項１】
咬合器に装着した蝋堤を付けた上顎模型及び下顎模型の各蝋堤に配列される人工歯であって、咬合面上に予め削合部を有し、前記削合部に標点を形成する３個以上の凸部又は凹部を有し、前記凸部又は凹部を対合歯となる人工歯の凹部又は凸部と嵌合した状態で、前記上顎模型及び下顎模型の各蝋堤に配列され、前記削合部を削合して前記標点に対応して予め定められた咬合面を削合し、前記凹部又は凸部を切除して咬合面を形成することを特徴とする人工歯。
【請求項２】
前記標点が凸または凹の球面であることを特徴とする請求項１に記載の人工歯。
【請求項３】
前記人工歯が、隣接する少なくとも２つの人工歯を連結した連結歯である請求項１に記載の人工歯。
【請求項４】
前記人工歯が、４つの隣接する人工歯を連結した連結歯である請求項３に記載の人工歯。
【請求項５】
前記連結歯の各人工歯の歯頚部は人工歯形態となっていることを特徴とする請求項３又は４に記載の人工歯。
【請求項６】
請求項３から５のいずれかに記載の標点付き人工歯を用いた義歯作製方法において、
蝋堤を付した患者の上下顎模型を咬合器にスペーサを介して装着し、前記蝋堤に前歯を排列する前歯排列工程、
前記スペーサを取り外す標点付き人工歯装着準備工程、
前記上下顎模型の蝋堤の臼歯部分に前記標点付き人工歯を装着する標点付き人工歯装着工程、
ロストワックス法にて前記蝋堤の蝋を床用レジンに置き換えるロストワックス工程、
前記人工歯標点と前記咬合器に設けた標点を読み取り、前記人工歯標点に対応して予め定められた前記人工歯の咬合面から削合部分を決定する削合部分決定工程、
前記削合部分の削合を実施する削合工程、
からなることを特徴とする義歯作製方法。
【請求項７】
前記標点付き人工歯装着準備工程において、前記上下顎の前歯の間に排列補助具を挟むことを特徴とする請求項６に記載の義歯作成方法。
【請求項８】
前記排列補助具に排列補助線が設けられていることを特徴とする請求項７に記載の義歯作製方法。
【発明の詳細な説明】
【技術分野】
【０００１】
本発明は削合が容易な標点付きの人工歯、人工歯の削合部分決定方法、及び人工歯を用いた義歯作製方法に関する。
【背景技術】
【０００２】
従来、義歯作成後に、削合という工程にて上下顎の義歯の擦り合わせを調整していた。削合には義歯を咬合器に取り付け、上下顎の接触する部分を見極めながら、少しずつ研削材で削ることで調整する工程と、その後、砥粒の入ったペースト状態のものを咬合面に塗布して、上下顎の義歯を擦り合わせて、調整する工程という2つの工程が実施されていた。義歯の状態により、これらの一方の工程でのみで調整されることも少なくなかった。しかし、削合する部分を正しく判断したかどうか明確に知るすべもなく、正しく削合が行えたかどうかを判断することも難しかった。
【０００３】
更に、対合歯が天然歯の場合、作製した補綴物を削合若しくは咬合調整する必要がある。補綴物の接触する部分を見極めながら、補綴物を少しずつ研削材で削ることで調整し、研磨仕上げを行う。しかし、咬合調整する部分を正しく判断したかどうか明確に知るすべもなく、正しく咬合調整が行えたかどうかを判断することも難しかった。
【０００４】
また更に、歯科学生は、補綴物の削合や咬合調整を各大学で教育される。補綴物の削合位置や咬合調整は、各大学の先生方が丁寧に教えるものの、難解な作業である為に、学生の上達には時間を要していた。また、学生同士で、客観的にうまくいった削合や咬合調整とそうでない状況との差を明確に知る方法が少なく、自らの習得度合いも知ることは難しかった。削合や咬合調整ができているかどうかを知る方法は歯科教官に確認する必要があり、独自に客観的に判断する方法は知られていなかった。
【０００５】
特許文献１は、上段の作業テーブルで歯科模型の底面のピン植立用ドリル作業を可能とし、下段の作業テーブルで歯科模型の内外の輪郭面の削合作業を可能とした歯科模型用加工装置を開示している。この加工装置は、咬合面を削合するものでなく、咬合面を削合することには構造状利用できない。
特許文献２は、削合された人工歯を用いることを記載しているが、義歯の作製時に発生する床の小さな変形などを調整しなければならない為、削合調整は必要である。従って、特許文献２は本発明と関係がない。
特許文献３には、人工歯の削合と咬合調整を行う咬合器に発振回路と接続する振動子を設置して、振動子を削合用の駆動装置とすることにより、咬合器上での人工歯の削合効率を高めることを目的とした、人工歯削合用駆動装置を開示している。しかし、この装置では、上下顎の義歯を擦り合わせて削合を行う為に、任意の調整を実施することは難しかった。
【先行技術文献】
【特許文献】
【０００６】
【特許文献１】特開平５−９５９６８号公報
【特許文献２】特開平１０−２２５４６９号公報
【特許文献３】特開２０００−３１６８７６号公報
【発明の概要】
【発明が解決しようとする課題】
【０００７】
従来、上下顎の削合は熟練した技工士による作業である。この削合作業では、咬合面の接触部分を判断し、削り過ぎない様に少しずつ削合を繰り返していた。咬合面に有る複数の面を擦れ合うまで調整することは至難の技である。熟練した技工士は容易に再現できたが、そうでない者は再現するのに労を要していた。
熟練した技工士であっても完全に咬合面の接触部分を合わせる事は難しく、1時間以上要していた。
上下顎が接触する部分である人工歯は、不定形であるため、上下顎の接触している部分を見極めることが難しく、接触位置を明確に定めることが難しかった。上下顎の間に咬合紙を挟むことにより、咬合接触状態を見極めることを行われている。咬合紙の厚みによる測定誤差が生じる。接触部分のみが染色されるのみで、咬合面のどの部位が染色部と対応するのか、動的接触なのか静的接触なのかなどの情報をえることができなかった。
咬合調整においては、天然歯の形態に合わせて、調整することにより、天然歯を傷めない方法を選択することが必要であった。
上下顎の削合は、咬合紙を上下顎の間に噛ませ、上下顎の接触状況を確認し、少しずつ削ることにより実現させる。上下顎の接触面を増やすことで調整する。咬合紙は接触している部分は穴が開き、接触していなくとも、咬合紙の厚さより近づくと、咬合紙が圧接されて薄くなる。薄くなった程度は光の透過で確認することができ、光の透過量で隙間量を確認できる。図1に示すような各歯を接触させる為に、咬合紙で上下顎の接触しているところを確認しながら咬合紙の厚さの程度を診て、削合を進める。
当然、上下顎は咬合器の上で自由に動き回り、更には接触面がどこまで、接滑するのか分からない中で、咬合紙のみがたよりとなる。高度な技術が必要であった。
本発明は、義歯の削合部分を簡単かつ迅速に決定し、容易に削合を行うことができる標点付き人工歯、人工歯の削合部分決定方法、及び人工歯を用いた義歯作製方法を提供することを課題とする。
【課題を解決するための手段】
【０００８】
第１発明の標点付き人工歯は、咬合器に装着した蝋堤を付けた上顎模型及び下顎模型の各蝋堤に配列される人工歯であって、咬合面上に予め削合部を有し、前記削合部に標点を形成する３個以上の凸部又は凹部を有し、前記凸部又は凹部を対合歯となる人工歯の凹部又は凸部と嵌合した状態で、前記上顎模型及び下顎模型の各蝋堤に配列され、前記削合部を削合して前記標点に対応して予め定められた咬合面を削合し、前記凹部又は凸部を切除して咬合面を形成するものである。
【０００９】
前記標点が凸または凹の球面であることが好ましい。
【００１３】
前記人工歯が、隣接する少なくとも２つの人工歯を連結した連結歯であることが好ましい。
前記人工歯が、４つの隣接する人工歯を連結した連結歯であることが好ましい。
【００１４】
前記連結歯の各人工歯の歯頚部は人工歯形態となっていることが好ましい。
【００１７】
第２発明は、前記第１発明の標点付き人工歯を用いた義歯作製方法において、
蝋堤を付した患者の上下顎模型を咬合器にスペーサを介して装着し、前記蝋堤に前歯を排列する前歯排列工程、
前記スペーサを取り外す標点付き人工歯装着準備工程、
前記上下顎模型の蝋堤の臼歯部分に前記標点付き人工歯を装着する標点付き人工歯装着工程、
ロストワックス法にて前記蝋堤の蝋を床用レジンに置き換えるロストワックス工程、
前記人工歯標点と前記咬合器に設けた標点を読み取り、前記人工歯標点に対応して予め定められた前記人工歯の咬合面から削合部分を決定する削合部分決定工程、
前記削合部分の削合を実施する削合工程、
からなる。
【００１８】
前記標点付き人工歯装着準備工程において、前記上下顎の前歯の間に排列補助具を挟むことが好ましい。
この場合、前記排列補助具に排列補助線が設けられていることが好ましい。
【発明の効果】
【００１９】
第１発明によれば、人工歯の位置及び角度を示す標点を有するので、上下顎の人工歯の位置を三次元空間上で再現することができる。
標点が凸または凹の球面により、標点を容易に算出することができる。
上顎の人工歯と下顎の人工歯が咬合するときに、凸と凹の球面が嵌合するようにしたので、排列が迅速簡単に行える。
人工歯の咬合する部分に削合部分を有するので、削合量が減少する。
人工歯が、隣接する少なくとも２つの人工歯を連結した連結歯であるので、排列が迅速かつ容易に行える。
連結歯の各人工歯の歯頚部が人工歯形態となっているので、蝋提への排列が簡単である。
削合部分が咬合面に存在すると、削合量がさらに減少する。
【００２１】
本第２発明によれば、人工歯標点に対応して予め定められた人工歯の咬合面から削合部分を決定するので、義歯の削合部分を簡単かつ迅速に決定し、容易に削合を行うことができる。
排列補助具を用いるので、排列が容易であり、上下の関係も容易に決定付けることができる。
【図面の簡単な説明】
【００２２】
【図１】本発明の義歯削合方法を示すフローチャート。
【図２】漂点を有する要咬合器に上下顎模型を装着した状態を示す斜視図。
【図３】上下顎の咬合面の三次元データを３次元空間上で表示した図。
【図４】上下顎の咬合面の３次元データを咬合させた状態を示す図。
【図５】（ａ）は上下顎の咬合面の３次元データで囲まれた部分を示す図、（ｂ）は上下顎の咬合面の削合部分を示す図。
【図６】咬合面の削合部分を示す図。
【図７】上顎と下顎の連結歯を示す側面図。
【図８】連結歯の削合部を示す平面図。
【図９】他の形態の削合部を有する人工歯の側面図。
【図１０】図７の削合部を有する連結歯と図９の削合部を有する連結歯の組合わせを示す側面図。
【図１１】連結歯の削合部を超音波削合機で削合する状況を示す側面図。
【図１２】咬合器に上顎模型と下顎模型を装着した状態を示す側面図。
【図１３】排列補助具を前歯に挟み込んだ状態を示す側面図。
【図１４】上顎模型と下顎模型に連結歯を排列した状態を示す側面図。
【図１５】上顎の連結歯と下顎の連結歯の削合部を削合する状況を示す側面図。
【発明を実施するための形態】
【００２３】
本発明は義歯の製造における削合を実施するための方法であって、義歯の咬合を調整する方法及びプログラムの発明である。本発明のプログラムを用いて、義歯の削合部分を判別し、ＣＡＤ／ＣＡＭを用いて咬合面の不要な部分を削合するものである。
【００２４】
一般に、義歯を作製する工程は、以下の通りである。
１．患者の口腔内の型をとって印象を作製する。
２．印象から患者の口腔の模型を石膏で作製し、この模型上に構成樹脂のベースプレートを作製する。
３．型枠にワックスを流し込んでアーチ型に固まらせ、このワックスをベースプレートの上に載置して、人工歯を排列するための蝋提を作製する。この蝋提とベースプレートを合わせて咬合床と称する。
４．咬合床を患者に装着し、咬合を採得する。
５．咬合床を装着した上顎と下顎の模型を咬合器に装着し、咬合状態を咬合器上で再現する。
６．患者に合った人工歯を選択して、まず上顎の前歯の人工歯を上顎の蝋提に排列し、続いて下顎の前歯の人工歯を下顎の蝋提に排列する。
７．咬合器のインサイザルポールを調整して上顎の高さを少し上げて、下顎と上顎の臼歯の人工歯を蝋提に排列する。
８．咬合器のインサイザルポールを元の状態に戻して、高い部分を削る咬合調整を行う。咬合調整では、上顎と下顎の間に咬合紙を挟み、強く当たっている部分を削る。
９．前歯の歯頸部（生え際）と歯肉部の状態を再現する。
１０．咬合床に人工歯を排列した義歯模型を患者の口腔内への試適し、修正を加えるべき情報を得る。
１１．情報に従って修正すべき箇所を修正する。
１２．義歯模型をフラスコ（枠）に容れて石膏に埋没し、固まらせる。
１３．フラスコに熱を加えて義歯模型のワックスを軟化させた後、フラスコを分離してワックスを溶かすと、鋳型が完成する。
１４，鋳型の石膏部分に分離材を塗布してから、鋳型に床用レジン（合成樹脂）を注入し、上下の型枠を合わせてプレスにより圧力をかける。
１５．余剰のレジンを取り除き、上下の型枠を合わせた後、熱を加えてレジンを硬化させる。
１６．型枠を外して、石膏を取り除き、義歯を掘り出す。
１７．義歯を再度、咬合器に取り付け、レジン硬化時の収縮により生じた咬合のくるいを修正する。咬合修正では、咬合紙を使用する。
１８．顎を前後左右に動かしたときの噛み合わせを、咬合紙を使用して調整する（この調整は最終の咬合調整であり、削合とも言う）。
１９．レジンのバリを削り取り、研磨を行う。
【００２５】
義歯を作製する工程において、口腔内の型を取り、蝋堤を作製し、人工歯を並べた後、ロストワックス法にて蝋を樹脂に置き換えたとき、樹脂の収縮により、人工歯の位置関係がずれ、義歯として上下顎で噛み合わせた場合に干渉する。この干渉部分を調整することが削合である。また、義歯上で噛み合わせが正しく出来たとしても、患者の口腔内の状況に合わせて、咬合関係を変更する為に、削合を行ったりする。これは患者の顎の動きに合わせて調整するものである。
本発明はこれらの一連の作業を、プログラムを用いて容易に実施するものである。
ここで、義歯削合方法の場合は総義歯であることが好ましい。又は部分義歯であっても、上下顎が義歯の組み合わせの場合も用いることができる。
【００２６】
１．義歯削合方法
本発明の義歯削合方法は、図１に示すように、以下の段階からなる。
（１）顎関係再現段階
（２）削合前義歯作製段階
（３）標点付き義歯データ測定段階
（４）噛合状態再現段階
（５）削合部分決定段階
（６）削合データ及び標点付き義歯データ作成段階
（７）削合前義歯削合段階
【００２７】
（１）患者の顎の条件を再現できる顎関係再現条件を決定し、顎関係を再現する顎関係再現段階について説明する。
顎関係再現段階とは、義歯を作製する前に、患者の上下顎の位置関係を再現するものである。通常は咬合器を用いて、顎の動きに合わせて咬合器の顆路の動きや切歯の動きを調整することにより、咬合器上で上下顎の動きを再現する。
上下顎の中心咬合位の位置から、咀嚼運動や開口・閉口運動時を想定した動く方向を決める必要がある。
患者の顎の条件とは、静的条件や動的条件であり、代表的には中心咬合位の位置や、前方運動・側方運動の方向、場合によっては蝶番運動の方向を含む。
これらの咬合状態を再現できるものとしては咬合状態再現器であり、代用的なものは咬合器である。咬合器は静的関係、動的関係を的確に再現できる。
顎関係再現条件としては、矢状顆路傾斜度、平衡側側方顆路、イミディエイト・サイドシフトの調節機構、作業側側方顆路角調節機構などがあり、切歯路調節機構としては、矢状切歯路傾斜度、側方切歯路誘導角などがある。
患者の状態に合わせて顎運動の近似値を用いる方法も一般的である。例えば、標準的な顆頭間距離を１１０ｍｍ、上弓・下弓間距離を１１０ｍｍ、最大開口角を１２０°、矢状顆路傾斜度を３０°、側方顆路角を１５°とすることができる。
ここで重要なのは中心咬合位から側方運動した場合の下顎に対して上顎がどの様に動くかを明確になることである。
また、最も単純な方法として、中心咬合位から上顎が前方１０°に下顎に平行に滑走し、また、更に中心咬合位から上顎が咬合面から左右２０°の上方向に滑走するように設定することも可能である。
近年においては顎運動をそのまま再現する方法についても研究が進められ、顎運動測定装置が開発されている。この顎運動測定装置により直接顎運動を取得して、顎運動再現装置にて顎運動を再現しても良い。
【００２８】
（２）咬合状態再現器の顎関係再現条件に合わせて義歯を作製し、削合する前までの削合前義歯を作製する削合前義歯作製段階について説明する。
削合前義歯作製段階では、前記咬合状態再現段階で得られた上下顎の関係に合わせて義歯を作製する段階であり、通常の義歯の作製段階である（前述の義歯作製工程のステップ６．７）。代表的な工程としては、蝋提を作製し、人工歯を排列し、ロストワックス法にて削合前義歯を作製する段階である。ここでの作成方法は特に限定するものではないが、通常の方法で作製することができる。
削合前義歯は削合をしていないので、咬合状態再現器上で未だ正しい咬合ができない。咬合状態再現器上で正しい咬合をする為に咬合面を本発明にて削合する。
【００２９】
（３）咬合状態再現器と義歯の位置関係を示す標点と共に義歯の咬合面の３次元画像データである標点付き義歯データを測定する標点付き義歯データ測定機にて標点付き義歯データを測定する標点付き義歯データ測定段階について説明する。
この段階では、作製された削合前義歯の３Ｄデータを取得すると共に、コンピュータの中で咬合状態を再現できる様に咬合状態再現器のどの位置に削合前義歯が有するのかを計測する。咬合状態再現器の上下顎の関係を事前に設定することにより、咬合状態を再現することができる。
再現器の各上下弓のそれぞれには、最低でも３点の標点が必要である。３つの辺でも良い。好ましいのは１つの辺と１つの点である。具体的には３つの針状又は球面（好ましくは球状）で構成しても良いし、再現器の真直な辺と球面の組合せでも良い。ここでは３Ｄデータがコンピュータ上で再現される上下顎の関係を正確に算出する為の標点であることが必要であり、３Ｄデータをコンピュータ上で一致させる為には、球面が好ましい。
義歯削合方法に用いられる顎関係再現条件を決定する咬合状態再現器は、図２に示すように、咬合状態再現器が上顎模型１が装着される上弓２および下顎模型３が装着される下弓４を有する咬合器５であり、上弓２および下弓４それぞれに標点６ａ、６ｂ、６ｃ，標点７ａ、７ｂ、７ｃを有することが好ましい。
【００３０】
（４）顎関係再現条件を利用して、標点付き義歯データの咬合状態を再現する咬合状態再現段階について説明する。
この段階では、咬合状態をコンピュータ上で再現する。コンピュータ上で咬合状態再現器の上下顎の関係を任意に設定することができる。
ここではコンピュータの空間の中で、上下顎の位置関係を正確にシミュレーションできる。コンピュータの中では上下顎の顎の静的関係が示されており、その関係には３Ｄデータを取得する時に用いた標点データを有する。コンピュータの空間中で上下顎の３Ｄデータが静的関係を示すように上下顎運動をシュミレーションさせる。
好ましくは下顎の直交座標軸系と上顎の直交座標軸系を設定する。ある任意の上下顎の位置関係から、上下顎の咬合状態を再現する様に、下顎直交座標軸系に対して上顎直交座標軸系が移動する方向を任意に算出できれば良い。
図３に示すように、下顎の直交座標軸系と上顎の直交座標軸系に有する標点をコンピュータ空間上の標点に一致させることによって、上顎の義歯データ８と下顎の義歯データ９の動きの関係を再現できることが好ましい。
各直交座標軸系にはそれぞれの標点の位置を定め、義歯データ測定段階で得られた義歯データの位置合わせをする。
図４に示すように、それぞれの座標軸が咬合状態再現段階で示した下顎の義歯データ９に対する上顎の義歯データ８の動きをする様に下顎直交座標軸系に対して上顎直交座標軸系が動く様に設定することもできる。
【００３１】
（５）再現された咬合状態から上下顎の画像で囲まれる部分から、動的条件や設定された条件にて削合データを決定する削合部分決定段階について説明する。
ここでは、咬合状態再現段階にて合わせられた３Ｄデータに囲まれた範囲、すなわち図４に示すように、上顎の人工歯の咬合面と下顎の人工歯の咬合面とが重なる範囲に注目する。
３Ｄデータで囲まれた範囲が少ない場合は、義歯が安定感に欠けるため、上顎の３Ｄデータを蝶番運動させ、若しくは咬合高径を下げる方向に移動させて、上下顎の３Ｄデータが重なる部分を調整する。もし、３Ｄデータが重なる部分が多い場合は、切削が多く、咬頭が無くなるため、上顎の３Ｄデータを蝶番運動させ、若しくは咬合高径を上げる方向に移動させて、上下顎の３Ｄデータが重なる部分の調整を実施する。蝶番運動若しくは咬合高径の移動については任意に組み合わせて利用してもよい。
次に、図５（ａ）に示すように、３Ｄデータが重なる部分Ａを、上下顎が運動する場合に擦動する様に、上顎又は下顎の３Ｄデータ８，９を移動させて、削合面を決定する。これは３Ｄデータが中心咬合位から前方運動、後方運動、側方運動時に各３Ｄデータが重なり合う部分を任意に定めた削合面Ｓに沿って切り取る。
削合面Ｓは、上下顎の３Ｄデータが重なり合う部分内を通らなくても良いが、上下顎の３Ｄデータ８，９が重なり合う部分内を通ることが好ましい。図５（ｂ）に示すように、この３Ｄデータ８，９が重なり合う部分内の削合面Ｓで延長される面で囲まれる咬頭の部分Ｂ，Ｃが切削される部分となる。これらの部分を削合部分といいそのデータを削合データという。
任意に定めた削合面Ｓとは、前方運動、後方運動、側方運動時の運動方向に沿った面であり、各面の角度は咬合平面に対して任意に設定することができる。咬合平面に対して、削合面Ｓは、５度〜６０度に設定することが好ましい。更に、前方運動、後方運動の場合に咬頭が接する面は５度から４５度好ましく、側方運動の場合は２０度〜６０度が好ましい。
【００３２】
運動方向は、上顎の３Ｄデータと下顎の３Ｄデータで囲まれた範囲の任意の点における下顎の直交座標軸系に対して、上顎の直交座標軸系が咬合状態再現段階で示された動的関係により、移動する方向である。本運動方向は直線であることが好ましいが、曲線の場合もある。直線に近似して適用することもできるが、曲線のまま構成してもよい。即ち、直線もしくは曲面である。好ましくは直線または円柱面である。
また、上顎の３Ｄデータ８と下顎の３Ｄデータ９で囲まれた範囲Ａの任意の点は、上顎の３Ｄデータ８と下顎の３Ｄデータ９で囲まれた範囲の重心Ｇであることが好ましい。
この重心Ｇは、上顎の３Ｄデータ８と下顎の３Ｄデータ９で囲まれた範囲が空間上のｎ個の点で示されている場合、それぞれ下顎座標軸系若しくは上顎座標軸系ＸＹＺ軸を同じ直交座標軸系に換算し、ＸＹＺそれぞれの値の和をｎ個で割ったＸ’Ｙ’Ｚ’の値として算出することが好ましい。削合面Ｓは、このＸ’Ｙ’Ｚ’の値を通る下顎に対して上顎の運動方向を含む面である。
この運動方向は咬合状態再現段階で示された再現方法により算出されるが、たとえば、咬合器により再現された場合は、アルコン型咬合器若しくはコンダイラー型咬合器どちらの場合でも、これらの調整機構をコンピュータ上で再現することができる。好ましくはアルコン型である。
咬合器の顆頭間距離は５０〜１７０ｍｍ好ましくは８０〜１４０ｍｍ、更に好ましくは１００〜１２０ｍｍである。１１０ｍｍという平均的な顆頭間距離を固定値で有することが好ましい。上弓下弓間距離は８０〜１２０ｍｍ程度である。上弓下弓間距離は任意に設定できれば十分である。
顆頭間距離及び上弓下弓間距離は、咬合器の上下顎の動きを規定している顆路調節機構、切歯路調節機構により予め設定された数値から算出される。
具体的には顆路調節機構として、矢状顆路傾斜度、平衡側側方顆路、イミディエイト・サイドシフトの調節機構、作業側側方顆路角調節機構などがあり、切歯路調節機構としては、矢状切歯路傾斜度、側方切歯路誘導角などがある。
矢状顆路傾斜度は−３０°〜＋９０°であり、好ましくは−２０°〜＋８０°、更に好ましくは−０°〜＋５０°である。
平衡側側方顆路は０°〜＋４０°であり、好ましくは０°〜＋３０°、更に好ましくは＋１０°〜＋２０°である。
イミディエイト・サイドシフトの調節機構は０〜１０ｍｍ好ましくは０〜８ｍｍ、更に好ましくは０〜５ｍｍである。
作業側側方顆路角調節機構−５０°〜＋６０°であり、好ましくは−４０°〜＋５０°、更に好ましくは−３０°〜＋３０°である。
矢状切歯路傾斜度は、−３０°〜＋９０°であり、好ましくは−２０°〜＋８０°、更に好ましくは−１０°〜＋７５°である。
側方切歯路誘導角は、−０°〜＋９０°であり、好ましくは−０°〜＋５０°である。
これらの調節機構に合わせて動く下顎直交座標軸系に対する上顎直交座標軸系を算出する。
好ましくは市販の咬合器の名称等から、調整項目のみを適宜選択できる設定が好ましい。更に、調整ができない咬合器を利用している場合は、その咬合器の固定値が咬合器名の名称を選んだ場合に固定で入力されることが好ましい。設定された条件とは、上下顎がスムーズに擦れ合って上下顎が引っかからない様に、突起部分を削除する様に設定された条件であることが好ましい。
本段階で得られた削合データはＣＡＤデータとして利用され、後で示される削合前義歯削合段階で加工用のＮＣプログラムが作成され機械工作において工具の移動量や移動速度などをコンピュータによって数値で制御するコンピュータ数値制御（ＣＮＣ）によって、義歯の削合を行う。このことをＣＡＭという。
【００３３】
図６は、咬合面の削合が行われる面を示す図である。左右ほぼ対称に削合される為、１，２，３の引き出し線は片方の顎のみを示している。上下顎が咬合された場合に上下顎が接触する咬合小面は面で接触し、顎の動きに合わせて擦れ合う面となる。
引き出し線の１は前方咬合小面、２は後方咬合小面、３は平衡咬合小面である。
符号の説明において、１．同一角度に削合される面部分、２．別の同一角度に削合される面部分、３．また別の同一角度に削合される面部分としたが、これらは一例である。咬合の静的関係、動的関係を考えた場合に、その面が正しい方向に擦れ合う様に、面の角度を調整または算出されることが好ましい。しかし、近似的に同一角度に削合される面部分であってもよい。
【００３４】
（６）標点付き義歯データに削合データを追加した削合データ付き標点付き義歯データを作成する削合データ付き標点付き義歯データ作成段階について説明する。
前記削合データである削合面を標点付き義歯データと合わせて、削合部分を定め、削合データ付き標点付き義歯データとする。ここで重要なことは、削合してはいけない部分と削合する部分が標点を基準に定められていることである。
このことから、義歯の位置関係を示す標点指示部と削合データ付き標点付き義歯データの標点部分を重ね合わせることにより、義歯の削合する部分を決定することができる。
【００３５】
（７）削合データ付き標点付き義歯データを元に削合前義歯を削合する削合前義歯削合段階について説明する。
削合データはＣＡＤデータとして利用され、本段階で加工用のＮＣプログラムを作成する。これは機械工作において、工具の移動量や移動速度などをコンピュータによって数値で制御するコンピュータ数値制御（ＣＮＣ）のプログラムである。本プログラムより、義歯の削合を行う。
【００３６】
２．標点付き人工歯
図７は、本発明に係る標点付き人工歯１１，１２を示す。
上顎の第１大臼歯、第２大臼歯、第１小臼歯及び第２第臼歯を構成する各人工歯１１ａ，１１ｂ，１１ｃ，１１ｄは、相互に連結されて上顎連結歯１１を構成している。各人工歯の咬合面は削合部１３が一体に形成され、歯頸部は天然歯の歯頸部の形状に近似してある。
同様に、下顎の第１大臼歯、第２大臼歯、第１小臼歯及び第２第臼歯を構成する各人工歯１２ａ，１２ｂ，１２ｃ，１２ｄも相互に連結されて、下顎連結歯１２を構成している。各人工歯の咬合面は削合部１４が一体に形成され、歯頸部は天然歯の歯頸部の形状に近似してある。
上顎の連結歯１１の削合部１３には、下顎の連結歯１２の削合部１４と対向する面の３箇所に、球面からなる凸部１５が形成されている。凸部１５は上顎人工歯の標点を形成する。
同様に、下顎の連結歯１２の削合部１４には、上顎の連結歯１１の削合部１３と対向する面の３箇所に、上顎の連結歯１１の削合部１３の凸部１５と嵌合する球面からなる凹部１６が形成されている。凹部１６は下顎人工歯の標点を形成する。
【００３７】
図８に示すように、上顎の連結歯１１の削合部１２は、第１大臼歯から第２小臼歯まで延びている。上顎の連結歯１１の削合部１２の凸部１５は、頬側側の中央１箇所と、第１大臼歯側に１箇所、第２大臼歯側に１箇所の３箇所に形成されている。下顎の連結歯１２の削合部１４の凹部１６も、同様に、頬側側の中央１箇所と、第１大臼歯側に１箇所、第２大臼歯側に１箇所の３箇所に形成されている。しかし、凸部１５と凹部１６の位置はこれに限らず任意の位置に設けることができる。
【００３８】
凸部１５と凹部１６は、球面に限らないが、円錐面すなわち針状の凸部やすり鉢状の凹部であってもよい。また、凸部１５と凹部１６を設ける位置は、削合部１３，１４の側面であってもよい。
凸部１５と凹部１６から標点を算出する方法は、特に限定するものではないが、球体の凸部１５または凹部１６の形状から球の中心を求めてこの中心を標点とすることが好ましい。
凸部１５と凹部１６は互いに嵌合するので、上下顎の位置決めとして利用することができる。
臼歯に付加された標点の位置関係から、臼歯の種類や対応部位が判断できるように、それぞれの位置関係が異なることが好ましい。
【００３９】
図９に示すように、削合部１７を、各人工歯の咬合面にそれぞれ形成することで、削合量を減少することができる。この場合、図１０に示すように、対合する顎の連結歯１１の削合部は、図７に示すような形態であってもよいし、下顎と同様に各人工歯の咬合面にそれぞれ形成してもよい。削合部の材料は、人工歯と同じエナメル質である。
【００４０】
削合部１３，１４，１７は、咬合面に垂直な方向から見て、人工歯の最大豊隆部より咬合面方向に有することが好ましい。
削合部１３，１４，１７は、予め咬合面形態データを保有している。このため、図１１に示すように、咬合面形態データに従って回転切削機１８により削合することができる。先端が梨型の切削工具が好ましい。削合量が少ない場合は、超音波振動子を用いた超音波削合機を用いてもよい。
咬合面形態データは、意図的に削合する部分を示す。このため、事前に咬頭や窩、溝を設けなくても、削合にて切り出し作製できる。切り出すための「咬合面形態データ」として保有して、削合時には前述の削合方法を用いて「咬合面形態データ」のどの部分を削合するか算出する。
【００４１】
次に、前記標点付き人工歯を用いた義歯作製方法を説明する。
【００４２】
図１２に示すように、蝋堤１９を付した患者の上顎模型２０を咬合器２１の上弓２２にスペーサ２３を介して装着し、同様に蝋堤２４を付した患者の下顎模型２５を咬合器２１の下弓２６に装着する。咬合器２１の上弓２２と下弓２６には予め標点が設けられている。スペーサ２３は下顎に設けてもよいし、上下顎の両方に設けてもよい。上下顎の蝋提１９，２４の４本の臼歯を排列する部分には、臼歯４本の連結歯１１，１２を装着できるように、予め切欠き部２７，２８を設けておく。前記削合方法で述べたように、まず上下顎の蝋提１９，２４に前歯用の人工歯を排列する。
【００４３】
前歯の人工歯を排列した後、スペーサ２３を取り外し、図１３に示すように、上顎模型２０を持ち上げて、上顎前歯と下顎前歯の間に排列補助具２９を挟み込む。
排列補助具２９は、プラスチック又は金属からなる板状である。排列補助具２９の板厚は、スペーサ２３を外して上顎を持ち上げたときに形成される上顎前歯と下顎前歯の間の隙間に応じて選定すればよい。スペーサ２３が厚い場合は、図１３（ａ）に示すように、厚い排列補助具２９を使用し、スペーサ２３が薄い場合は、図１３（ｂ）に示すように、薄い排列補助具２９を使用する。厚い排列補助具２９の場合は、図１３（ａ）に示すように、排列補助具２９の前端面に、前歯から臼歯に向かって遠心近心方向に延びる排列補助線３０を設けておくことが好ましい。
【００４４】
上顎臼歯の連結歯１１と下顎臼歯の連結歯１２を、図１４に示すように、それぞれの削合部１３，１７の凸部１５と凹部１６を嵌合させた状態で、上顎模型２０と下顎模型２５の蝋提１９．２４の切欠き部２７，２８に装着する。このとき、上顎臼歯の連結歯１１と下顎臼歯の連結歯１２の削合部１３，１７の合わせ目が排列補助具２９の排列補助線３０と同じ平面レベルになるように、連結歯１１，１２の高さを調整する。
【００４５】
続いて、上顎模型２０と下顎模型２５を取り外し、前記削合方法で述べたように、ロストワックス法にて顎堤１９，２４の蝋を床用レジンに置き換える。
【００４６】
上下顎の連結歯１１，１２に設けられた凸部１５と凹部１６から標点（人工歯標点）を読み取り、また人工歯に排列に使用した咬合器２１の標点（咬合器標点）を読み取り、各連結歯１１，１２が保有している人工歯標点に対応して予め定められた咬合面形態データから咬合面を設定する。この咬合面から削合部分を決定する。
【００４７】
次に、図１５に示すように、回転切削機１８を使用し、削合部１３，１７の削合データに基づいて上顎及び下顎の連結歯１１，１２の削合部１３，１４を削合する。これにより、削合部１３，１４の表面、凸部１５及び凹部１６が切除され、咬頭、窩、溝を含む咬合面が形成される。
【００４８】
削合部分の決定方法としては、前述のように人工歯が予め保有する咬合面形態データから求める方法以外に、三次元空間上で咬合状態を再現して求める方法がある。この方法は、前記削合方法で既に述べたので、詳細な説明は省略し、以下簡単に説明する。
まず、標点付き人工歯の人工歯標点と、該標点付き人工歯が排列された上下顎を装着する咬合器の位置を示す咬合器標点の三次元標点データを取得する。次に、取得された上下顎の三次元標点データから咬合器に装着された上下顎の人工歯の位置を三次元空間上で再現する。そして、再現された咬合状態の３次元画像上で上下顎の画像で囲まれる部分から、動的条件や設定された条件にて削合部分の削合データを決定することができる。削合後に、溝や窩の削除部分を決定してもよい。
【符号の説明】
【００４９】
１１  連結歯
１２  連結歯
１３  削合部
１４  削合部
１５  凸部
１６  凹部
１７  削合部
１８  回転切削機
１９  蝋提
２０  上顎模型
２１  咬合器
２２  上弓
２３  スペーサ
２４  蝋提
２５  下顎模型
２６  下弓
２７  切欠き部
２８  切欠き部
２９  排列補助具
３０  排列補助線
【図１】
0005694071.tif 000002
【図２】
0005694071.tif 000003
【図３】
0005694071.tif 000004
【図４】
0005694071.tif 000005
【図５】
0005694071.tif 000006
【図６】
0005694071.tif 000007
【図７】
0005694071.tif 000008
【図８】
0005694071.tif 000009
【図９】
0005694071.tif 000010
【図１０】
0005694071.tif 000011
【図１１】
0005694071.tif 000012
【図１２】
0005694071.tif 000013
【図１３】
0005694071.tif 000014
【図１４】
0005694071.tif 000015
【図１５】
0005694071.tif 000016